(57)【要約】【課題】検電端子を被覆するゴムカバーを効率よく操作可能な高圧ケーブルの端末を提供する。【解決手段】高圧のケーブルを接続すると共に、検電端子１２ｄを絶縁被覆するゴムカバー１３を有する円筒状の端末本体１ｔにおいて、ゴムカバー１３をその端部から巻回するように捲り上げ可能な一対の第１帯状部材２・２と、ゴムカバー１３と共に巻回された巻回部を巻き戻してゴムカバー１３を元の状態に復帰可能な一対の第２帯状部材３・３を備え、一対の第１帯状部材２・２の他端部を把持して、移動すると、検電端子１２ｄを露出可能にゴムカバー１３の端縁が巻回されて捲り上げることができる。一方、一対の第２帯状部材３・３の他端部を把持して、移動すると、検電端子１２ｄを絶縁被覆可能に、ゴムカバー１３を巻き戻し可能である。【選択図】図４
2012222966.tif 000002
【特許請求の範囲】
【請求項１】
高圧のケーブルを接続すると共に、外周面に部分的に形成された輪帯状の検電端子を有する円筒状の端末本体と、
前記検電端子を絶縁被覆する円筒状のゴムカバーと、
一端部が前記端末本体の外周に対向するよう固定され、他端部が前記端末本体の軸方向と略平行に前記ゴムカバーで覆われた状態で前記ケーブルに向かって延出すると共に、前記ゴムカバーの端縁を越えて延出する一対の第１帯状部材と、
一端部が前記ゴムカバーの端部の外周に対向するよう固定され、他端部が前記端末本体の軸方向と略平行に前記ケーブルと反対側に向かって延出すると共に、当該ゴムカバーの端縁が前記ケーブルと反対側に向かって巻回されると、当該ゴムカバーに巻回される一対の第２帯状部材と、を備え、
一対の前記第１帯状部材の他端部を把持して、前記ケーブルと反対側に向かって移動すると、前記検電端子を露出可能に前記ゴムカバーの端縁が巻回されて捲り上げることが可能であり、
一対の前記第２帯状部材の一端部側が前記ゴムカバーに巻回された状態で、一対の前記第２帯状部材の他端部を把持して、前記ケーブルに向かって移動すると、前記検電端子を絶縁被覆可能に、前記ゴムカバーを巻き戻し可能な検電端子付き高圧ケーブルの端末。
【請求項２】
一対の前記第１帯状部材は、それらの他端部に第１円環部材を有する請求項１記載の検電端子付き高圧ケーブルの端末。
【請求項３】
一対の前記第２帯状部材は、それらの他端部に第２円環部材を有する請求項１又は２記載の検電端子付き高圧ケーブルの端末。
【請求項４】
前記端末本体は、一対の前記第１円環部材を係止可能な第１フックを前記ケーブルに向かう端部側に有する請求項２記載の検電端子付き高圧ケーブルの端末。
【請求項５】
前記端末本体は、一対の前記第１円環部材を係止可能な第２フックを前記ケーブルと反対側に向かう端部側に有する請求項２又は４記載の検電端子付き高圧ケーブルの端末。
【請求項６】
前記端末本体は、一対の前記第２円環部材を係止可能な第３フックを前記ケーブルと反対側に向かう端部側に有する請求項３記載の検電端子付き高圧ケーブルの端末。
【発明の詳細な説明】
【技術分野】
【０００１】
本発明は、検電端子付き高圧ケーブルの端末に関する。特に、検電端子が露出するように、高圧ケーブルの端末を被覆するゴムカバーを容易に捲り上げ、又はゴムカバーを容易に復帰できる検電端子付き高圧ケーブルの端末の構造に関する。
【背景技術】
【０００２】
一般に、電力を送電・配電する配電線は、電柱に支持されている。又、電柱は、柱上変圧器を支持している。そして、柱上変圧器は、配電線に印加された高圧の電力を家庭や事務所などで使用する電圧に変圧している。
【０００３】
近年では、電線類の地中化により、市街地の中心区域では、電柱が撤去されている。そして、地下に配設された配電線の電力は、地上に設置された路上変圧器で変圧されて、家庭や事務所などで使用されている。
【０００４】
このような柱上変圧器及び路上変圧器は、配電用の高圧ケーブルで電力が供給され、高圧ケーブルの端末が内部の変圧器本体に接続されている。図６は、このような高圧ケーブルの端末の構成の一例を示す図であり、図６（Ａ）は、高圧ケーブルの端末の正面図、図６（Ｂ）は、高圧ケーブルの端末の縦断面図である。
【０００５】
図６を参照すると、高圧ケーブルの端末（以下、端末と略称する）１００は、円筒状の端末本体１０ｔ、ストレスコーン１１、及びゴム製の絶縁筒１２を備えている。ストレスコーン１１は、高圧のケーブル１０ｃの電界分布を均一にするために、ケーブル１０ｃの端末を被覆している。絶縁筒１２は、ストレスコーン１１の外周と嵌合するように取り付けられている。又、ケーブル１０ｃは、その導体線の末端に端子１０ｂを取り付けている。そして、絶縁筒１２は、端子１０ｂを内部に配置している。
【０００６】
図６を参照すると、ストレスコーン１１は、半導電体からなる外部半導電層１１ａを外周面に形成している。又、ストレスコーン１１は、ケーブル１０ｃの被覆と電気的に接続した内部半導電層１１ｂを内周面に形成している。そして、内部半導電層１１ｂは、絶縁筒１２の内周面に設けられた内部半導電層１２ｂと電気的に接続している。なお、半導電体とは、絶縁性を有するゴムに導電性を有するカーボン粒子などを混入することによって、導電性をもたせた高抵抗体である。
【０００７】
図６を参照すると、絶縁筒１２は、ケーブル１０ｃが接続される機器本体（例えば、変圧器本体）側（図６の上側）の外周面が外部半導電層１２ａで覆われている。又、絶縁筒１２は、ケーブル１０ｃ側の外周面が外部半導電層１２ｃで覆われている。外部半導電層１２ａと外部半導電層１２ｃは、絶縁筒１２でその外周面を隔絶している。更に、外部半導電層１２ａと外部半導電層１２ｃとの間には、絶縁筒１２でその外周面が隔絶されるように、輪帯状の検電端子１２ｄを形成している。
【０００８】
図６を参照して、外部半導電層１２ａ・１２ｃ及び検電端子１２ｄは、いずれも上述した半導電体で構成されている。外部半導電層１２ａは、ケーブル１０ｃが接続される機器本体（図示せず）に圧接されている。更に、外部半導電層１２ａは、必要に応じて、半導電性テープを介して導通し、機器本体のケーシングを介して接地されている。又、外部半導電層１２ｃは、ストレスコーン１１を被覆する外部半導電層１１ａを介して接地されている。
【０００９】
図６（Ｂ）を参照すると、検電端子１２ｄは、絶縁筒１２の内壁に取り付けられた内部半導電層１２ｂと対向する位置に配置されている。検電端子１２ｄと内部半導電層１２ｂは、絶縁筒１２の主材料であるゴムによって絶縁されている。又、外部半導電層１２ａと検電端子１２ｄ、及び検電端子１２ｄと外部半導電層１２ｃは、絶縁筒１２の主材料であるゴムが外周面に露出した一組の絶縁帯１２ｅ・１２ｅを形成している。
【００１０】
図６を参照して、検電端子１２ｄは、ケーブル１０ｃに電力が正しく供給されているか否かを診断するために設けられている。ケーブル１０ｃに交流電力が供給されているとき、内部半導電層１２ｂは、端子１０ｂ、内部半導電層１１ｂを介して交流電圧がかかり、これにより、外部半導電層１２ａ・１２ｃと非導通である検電端子１２ｄに電圧が誘起される。
【００１１】
図６を参照して、通常、検電端子１２ｄを含む端末本体１０ｔの外周面は、絶縁性を有する円筒状のゴムカバー１３で覆われている。ケーブル１０ｃに電力が正しく供給されているか否かを診断するときは、ゴムカバー１３を端末本体１０ｔの端部から捲り上げ、露出した検電端子１２ｄに検電器の接触子を当てて、ケーブル１０ｃを検電することができる。
【００１２】
上述した構造を有する端末１００は、長期間、使用していると、湿度の影響で絶縁筒１２を構成する絶縁ゴムが劣化し、絶縁破壊に到る場合がある。この場合、絶縁筒１２を構成する絶縁ゴムの放電振動を計測することによって、高圧ケーブルの端末の絶縁劣化を診断する方法が開示されている（例えば、特許文献１参照）。
【先行技術文献】
【特許文献】
【００１３】
【特許文献１】特開２００８−１８０５０９号公報
【発明の概要】
【発明が解決しようとする課題】
【００１４】
図７は、複数の高圧ケーブルの端末を備える路上変圧器の内部構成を示す斜視図である。又、図８は、複数の高圧ケーブルの端末を備える路上変圧器の内部構成を示す斜視図であり、高圧ケーブルの端末からゴムカバーを捲り上げる直前の状態図である。更に、図９は、高圧ケーブルの端末本体の正面図であり、ゴムカバーが取り外された状態図である。図１０は、高圧ケーブルの端末本体の正面図であり、ゴムカバーを捲り上げている状態図である。
【００１５】
図７を参照すると、路上変圧器は、地下から延出した複数の高圧のケーブル１０ｃが端末本体１０ｔに接続されている。これらの端末本体１０ｔは、通常、ゴムカバー１３で絶縁被覆されている（図６参照）。
【００１６】
ケーブル１０ｃを検電する場合は、最初に、図８に示されるように、絶縁手袋ｉｇを両手に着用した状態で、ゴムカバー１３を把持する。次に、図１０に示されるように、絶縁手袋ｉｇを両手に着用した状態で、ゴムカバー１３を端末本体１０ｔの端部から巻回するように上方に向けて捲り上げる。そして、検電端子１２ｄが露出した状態で（図６又は図１０参照）、検電端子１２ｄに検電器の接触子を当てて、ケーブル１０ｃを検電できる。ケーブル１０ｃの検電が終了した後は、絶縁手袋ｉｇを両手に着用した状態で、ゴムカバー１３を元の状態に復帰させる（図７参照）。
【００１７】
しかしながら、検電端子１２ｄを露出するために、ゴムカバー１３を捲り上げる作業、及びゴムカバー１３を元の状態に復帰させる作業は、図７に示されるように、複数の端末１００が隣接しているので、大変時間のかかる効率のよくないものとなっている。ゴムカバー１３を効率よく捲り上げる、及びゴムカバー１３を効率よく元の状態に復帰させることが可能な検電端子付き高圧ケーブルの端末が求められている。そして、以上のことが本発明の課題といってよい。
【００１８】
本発明は、このような課題に鑑みてなされたものであり、検電端子を絶縁被覆する円筒状のゴムカバーを効率よく捲り上げることができ、かつ、このゴムカバーを効率よく元の状態に復帰させることが可能な検電端子付き高圧ケーブルの端末を提供することを目的とする。
【課題を解決するための手段】
【００１９】
本発明者らは、円筒状のゴムカバーをその端部から巻回するように捲り上げ可能な一対の第１帯状部材と、ゴムカバーと共に巻回された巻回部を巻き戻してゴムカバーを元の状態に復帰可能な一対の第２帯状部材を設けることにより、これらの課題が解決可能であると考え、これに基づいて、以下のような新たな検電端子付き高圧ケーブルの端末を発明するに至った。
【００２０】
（１）本発明による検電端子付き高圧ケーブルの端末は、高圧のケーブルを接続すると共に、外周面に部分的に形成された輪帯状の検電端子を有する円筒状の端末本体と、前記検電端子を絶縁被覆する円筒状のゴムカバーと、一端部が前記端末本体の外周に対向するよう固定され、他端部が前記端末本体の軸方向と略平行に前記ゴムカバーで覆われた状態で前記ケーブルに向かって延出すると共に、前記ゴムカバーの端縁を越えて延出する一対の第１帯状部材と、一端部が前記ゴムカバーの端部の外周に対向するよう固定され、他端部が前記端末本体の軸方向と略平行に前記ケーブルと反対側に向かって延出すると共に、当該ゴムカバーの端縁が前記ケーブルと反対側に向かって巻回されると、当該ゴムカバーに巻回される一対の第２帯状部材と、を備え、一対の前記第１帯状部材の他端部を把持して、前記ケーブルと反対側に向かって移動すると、前記検電端子を露出可能に前記ゴムカバーの端縁が巻回されて捲り上げることが可能であり、一対の前記第２帯状部材の一端部側が前記ゴムカバーに巻回された状態で、一対の前記第２帯状部材の他端部を把持して、前記ケーブルに向かって移動すると、前記検電端子を絶縁被覆可能に、前記ゴムカバーを巻き戻し可能である。
【００２１】
（２）一対の前記第１帯状部材は、それらの他端部に第１円環部材を有することが好ましい。
【００２２】
（３）一対の前記第２帯状部材は、それらの他端部に第２円環部材を有することが好ましい。
【００２３】
（４）前記端末本体は、一対の前記第１円環部材を係止可能な第１フックを前記ケーブルに向かう端部側に有することが好ましい。
【００２４】
（５）前記端末本体は、一対の前記第１円環部材を係止可能な第２フックを前記ケーブルと反対側に向かう端部側に有することが好ましい。
【００２５】
（６）前記端末本体は、一対の前記第２円環部材を係止可能な第３フックを前記ケーブルと反対側に向かう端部側に有することが好ましい。
【発明の効果】
【００２６】
本発明による検電端子付き高圧ケーブルの端末は、円筒状のゴムカバーをその端部から巻回するように捲り上げ可能な一対の第１帯状部材を備え、これらの第１帯状部材の他端部を把持して、ケーブルと反対側に向かって移動すると、検電端子を露出可能にゴムカバーの端縁を巻回して、容易にゴムカバーを捲り上げることができる。
【００２７】
又、本発明による検電端子付き高圧ケーブルの端末は、ゴムカバーの端縁がケーブルと反対側に向かって巻回されると、ゴムカバーに巻回される一対の第２帯状部材を備え、これらの第２帯状部材の他端部を把持して、ケーブルに向かって移動すると、検電端子を絶縁被覆可能に、ゴムカバーを巻き戻し、ゴムカバーを容易に元の状態に復帰できる。
【図面の簡単な説明】
【００２８】
【図１】本発明の一実施形態による高圧ケーブルの端末の構成を示す斜視図である。
【図２】前記実施形態による高圧ケーブルの端末の構成を示す正面図である。
【図３】前記実施形態による高圧ケーブルの端末の構成を示す斜視図であり、図３（Ａ）は、端末に備わるゴムカバーが捲り上げられた状態図、図３（Ｂ）は、ゴムカバーを捲り上げるための第１帯状部材の端部に指を係止した状態図である。
【図４】前記実施形態による高圧ケーブルの端末の斜視図であり、図４（Ａ）は、一対の第１帯状部材を用いてゴムカバーを捲り上げている状態図、図４（Ｂ）は、ゴムカバーが更に捲り上げられて、検電端子が露出した状態図、図４（Ｃ）は、ゴムカバーが最後まで捲り上げられて、検電端子が完全に露出した状態図である。
【図５】前記実施形態による高圧ケーブルの端末の斜視図であり、図５（Ａ）は、一対の第２帯状部材を用いてゴムカバーの端部を巻戻している状態図、図５（Ｂ）は、ゴムカバーの端部が更に巻戻されて、検電端子を絶縁被覆する直前の状態図、図５（Ｃ）は、ゴムカバーの端部が更に巻戻されて、検電端子を完全に絶縁被覆した状態図である。
【図６】従来技術による高圧ケーブルの端末の構成の一例を示す図であり、図６（Ａ）は、高圧ケーブルの端末の正面図、図６（Ｂ）は、高圧ケーブルの端末の縦断面図である。
【図７】従来技術による複数の高圧ケーブルの端末を備える路上変圧器の内部構成を示す斜視図である。
【図８】従来技術による複数の高圧ケーブルの端末を備える路上変圧器の内部構成を示す斜視図であり、高圧ケーブルの端末からゴムカバーを捲り上げる直前の状態図である。
【図９】従来技術による高圧ケーブルの端末本体の正面図であり、ゴムカバーが取り外された状態図である。
【図１０】従来技術による高圧ケーブルの端末本体の正面図であり、ゴムカバーを捲り上げている状態図である。
【発明を実施するための形態】
【００２９】
以下、図面を参照して本発明を実施するための形態を説明する。
［検電端子付き高圧ケーブルの端末の構成］
最初に、本発明の一実施形態による検電端子付き高圧ケーブルの端末の構成を説明する。図１は、本発明の一実施形態による高圧ケーブルの端末の構成を示す斜視図である。図２は、前記実施形態による箱形カットアウト用課電端子の構成を示す正面図である。
【００３０】
図３は、前記実施形態による高圧ケーブルの端末の構成を示す斜視図であり、図３（Ａ）は、端末に備わるゴムカバーが捲り上げられた状態図、図３（Ｂ）は、ゴムカバーを捲り上げるための第１帯状部材の端部に指を係止した状態図である。なお、従来技術で使用した符号と同一の符号を有する構成品は、その作用を同一とするので、以下の説明では割愛する場合がある。
【００３１】
図１から図３を参照すると、本発明の一実施形態による高圧ケーブルの端末（以下、端末と略称する）１０は、円筒状の端末本体１ｔ、円筒状のゴムカバー１３、一対の第１帯状部材２・２、及び一対の第２帯状部材３・３を備えている。
【００３２】
図１から図３に示された端末本体１ｔは、図６に示された端末本体１０ｔと実質的に同じものであるが、説明の便宜上、符号を変えて区別した。したがって、端末本体１ｔは、高圧のケーブル１０ｃを接続している（図６参照）。又、端末本体１ｔは、輪帯状の検電端子１２ｄを外周面に部分的に形成している（図６参照）。
【００３３】
図１から図３を参照すると、通常、ゴムカバー１３は、検電端子１２ｄを絶縁被覆している。ゴムカバー１３を端末本体１ｔの下端部から上端部に向けて巻回して、捲り上げると、検電端子１２ｄを露出できる（図４（Ｃ）参照）。そして、露出した検電端子１２ｄに検電器の接触子を当てて、ケーブル１０ｃを検電できる（図６又は図７参照）。一方、巻回されたゴムカバー１３の端部を下端部に向けて巻き戻すと、検電端子１２ｄを絶縁被覆できる。
【００３４】
図１から図３を参照すると、一対の第１帯状部材２・２は、それらの一端部が端末本体１ｔの外周に対向するよう固定されている。一対の第１帯状部材２・２の他端部は、端末本体１ｔの軸方向と略平行に、ゴムカバー１３で覆われた状態で、ケーブル１０ｃ（図６参照）に向かって延出している。そして、一対の第１帯状部材２・２の他端部は、ゴムカバー１３の端縁を越えて延出している。
【００３５】
図１から図３を参照すると、一対の第２帯状部材３・３は、それらの一端部がゴムカバー１３の端部の外周に対向するよう固定されている。一対の第２帯状部材３・３の他端部は、端末本体１ｔの軸方向と略平行にケーブル１０ｃ（図６参照）と反対側に向かって延出している。そして、一対の第２帯状部材３・３は、ゴムカバー１３の端縁がケーブル１０ｃ（図６参照）と反対側に向かって巻回されると、ゴムカバー１３に巻回される。
【００３６】
図３を参照して、一対の第１帯状部材２・２の他端部を把持して、ケーブル１０ｃ（図６参照）と反対側に向かって移動すると、検電端子１２ｄを露出可能にゴムカバー１３の端縁が巻回されて捲り上げることができる。
【００３７】
一方、図３を参照して、一対の第２帯状部材３・３の一端部側がゴムカバー１３に巻回された状態で、一対の第２帯状部材３・３の他端部を把持して、ケーブル１０ｃ（図６参照）に向かって移動すると、検電端子１２ｄを絶縁被覆可能に、ゴムカバー１３を巻き戻すことができる。
【００３８】
一対の第１帯状部材２・２と一対の第２帯状部材３・３の相対配置は、図１及び図２に示された状態と図３に示された状態では異なっているが、端末本体１ｔに対して、ゴムカバー１３及び後述するバンド部材３１を回転することにより、図１及び図２に示された状態と図３に示された状態のいずれの配置も可能である。
【００３９】
図１から図３を参照すると、一対の第１帯状部材２・２は、それらの他端部に第１円環部材２ｒを有している。これらの第１円環部材２ｒ・２ｒには、絶縁手袋ｉｇを両手に着用した状態で（図８参照）、両指を係合できる。
【００４０】
同様に、図１から図３を参照すると、一対の第２帯状部材３・３は、それらの他端部に第２円環部材３ｒを有している。これらの第２円環部材３ｒ・３ｒには、絶縁手袋ｉｇを両手に着用した状態で（図８参照）、両指を係合できる。
【００４１】
図１又は図２を参照すると、端末本体１ｔは、一対の第１円環部材２ｒ・２ｒを係止可能な第１フック２１ｈをケーブル１０ｃ（図６参照）に向かう端部側に有している。実態として、これらの第１フック２１ｈ・２１ｈは、端末本体１ｔの一方の端部を締結するバンド部材２１の外周面から突出するように形成されている。
【００４２】
又、図１又は図２を参照すると、端末本体１ｔは、一対の第１円環部材２ｒ・２ｒを係止可能な第２フック２２ｈをケーブル１０ｃ（図６参照）と反対側に向かう端部側に有している。実態として、これらの第２フック２２ｈ・２２ｈは、端末本体１ｔの他方の端部を締結するバンド部材２２の外周面から突出するように形成されている。
【００４３】
図１又は図２を参照して、通常、一対の第１円環部材２ｒ・２ｒは、一対の第１フック２１ｈ・２１ｈに係止されている。一対の第１円環部材２ｒ・２ｒを把持して、上方に引き上げると、これらの第１円環部材２ｒ・２ｒを一対の第２フック２２ｈ・２２ｈに係止できる。
【００４４】
図１又は図２を参照すると、端末本体１ｔは、一対の第２円環部材３ｒ・３ｒを係止可能な第３フック３ｈをケーブル１０ｃ（図６参照）と反対側に向かう端部側に有している。実態として、これらの第３フック３ｈ・３ｈは、端末本体１ｔの他方の端部を締結するバンド部材３１の外周面から突出するように形成されている。
【００４５】
図１から図３を参照して、第１帯状部材２及び第２帯状部材３は、絶縁性を有する合成樹脂繊維が織られた屈曲自在な帯体で構成することが好ましく、屈曲自在な絶縁性を有する合成樹脂テープであってもよい。第１円環部材２ｒ及び第２円環部材３ｒは、絶縁性を有する合成樹脂で成形することが好ましい。例えば、第１円環部材２ｒは、第１帯状部材２の端部を縫製して繋留することもでき、第１帯状部材２の端部を熱溶着して繋留することもできる。
【００４６】
［検電端子付き高圧ケーブルの端末の作用］
次に、実施形態による端末１０の動作を説明しながら、端末１０の作用及び効果を説明する。図４は、前記実施形態による高圧ケーブルの端末の斜視図であり、図４（Ａ）は、一対の第１帯状部材を用いてゴムカバーを捲り上げている状態図、図４（Ｂ）は、ゴムカバーが更に捲り上げられて、検電端子が露出した状態図、図４（Ｃ）は、ゴムカバーが最後まで捲り上げられて、検電端子が完全に露出した状態図である。
【００４７】
図５は、前記実施形態による高圧ケーブルの端末の斜視図であり、図５（Ａ）は、一対の第２帯状部材を用いてゴムカバーの端部を巻戻している状態図、図５（Ｂ）は、ゴムカバーの端部が更に巻戻されて、検電端子を絶縁被覆する直前の状態図、図５（Ｃ）は、ゴムカバーの端部が更に巻戻されて、検電端子を完全に絶縁被覆した状態図である。
【００４８】
先に、図４を参照して、ゴムカバー１３を捲り上げる動作を説明する。なお、図４では、第１フック２１ｈなどの図示を省略している。図４（Ａ）を参照して、最初に、一対の第１円環部材２ｒ・２ｒに両指を挿入して、一対の第１帯状部材２・２を略同じ速度で上方に引き上げる。なお、両手には、絶縁手袋ｉｇ（図８参照）を着用しているものとする。
【００４９】
図４（Ａ）を参照すると、一対の第１帯状部材２・２を引き上げることによって、ゴムカバー１３の端部が巻回されて捲り上げることができる。そして、この間、一対の第２帯状部材３・３は、それらの一端部側からゴムカバー１３に巻回されている。
【００５０】
図４（Ｂ）を参照して、一対の第１帯状部材２・２を更に引き上げると、ゴムカバー１３の端部が更に捲り上げられて、検電端子１２ｄを露出することが可能になる。
【００５１】
図４（Ｃ）を参照して、一対の第１帯状部材２・２を最後まで引き上げると、ゴムカバー１３の端部が最後まで捲り上げられて、検電端子１２ｄを確実に露出できる。そして、検電端子１２ｄに検電器の接触子を当てて、ケーブル１０ｃを検電することができる。
【００５２】
このように、実施形態による端末１０は、円筒状のゴムカバー１３をその端部から巻回するように捲り上げ可能な一対の第１帯状部材２・２を備え、これらの第１帯状部材２・２の他端部を把持して、上方に向かって移動すると、検電端子１２ｄを露出可能にゴムカバー１３の端縁を巻回して、容易にゴムカバー１３を捲り上げることができる。
【００５３】
次に、図５を参照して、ゴムカバー１３を元の状態に復帰させる動作を説明する。なお、図５では、第３フック３ｈなどの図示を省略している。図５（Ａ）を参照して、図４（Ｃ）に示された状態から、一対の第２円環部材３ｒ・３ｒに両指を挿入して、一対の第２帯状部材３・３を略同じ速度で下方に引き下げる。
【００５４】
図５（Ｂ）を参照すると、一対の第２帯状部材３・３を引き下げることによって、ゴムカバー１３の端部が巻き戻されて、検電端子１２ｄを絶縁被覆することができる。そして、この間、一対の第１帯状部材２・２は、それらの他端部側に向けてゴムカバー１３に被覆されている。
【００５５】
図５（Ｂ）を参照して、一対の第２帯状部材３・３を更に引き下げると、ゴムカバー１３の端部が更に巻戻されて、検電端子１２ｄを絶縁被覆することが可能になる。
【００５６】
図５（Ｃ）を参照して、一対の第１帯状部材２・２を更に引き下げると、ゴムカバー１３の端部が更に巻き戻されて、検電端子１２ｄを完全に絶縁被覆できる。そして、一対の第１帯状部材２・２を最後まで引き下げると、図１又は図２に示されるように、ゴムカバー１３を元の状態に復帰させることができる。
【００５７】
このように、実施形態による端末１０は、ゴムカバー１３の端縁が巻回されると、ゴムカバー１３に巻回される一対の第２帯状部材３・３を備え、これらの第２帯状部材３・３の他端部を把持して、引き下げると、検電端子１２ｄを絶縁被覆可能に、ゴムカバー１３を巻き戻し、ゴムカバー１３を容易に元の状態に復帰できる。
【００５８】
実施形態による検電端子付き高圧ケーブルの端末は、短時間でゴムカバーを捲り上げ、又は巻き戻すことが可能である。又、実施形態による検電端子付き高圧ケーブルの端末は、ゴムカバーを確実に捲り上げ、又は確実に巻き戻すことが可能である。更に、実施形態による検電端子付き高圧ケーブルの端末は、絶縁手袋を両手に着用した状態でも、ゴムカバーの操作が容易であるという利点がある。
【００５９】
本発明による検電端子付き高圧ケーブルの端末は、路上変圧器に立設する高圧ケーブルの端末を実施例として開示したが、これに限定されない。本発明による検電端子付き高圧ケーブルの端末は、水平状態に配置してもよく、大型の変圧器や開閉器などにも適用できる。
【符号の説明】
【００６０】
１ｔ  端末本体
２  第１帯状部材
３  第２帯状部材
１０  端末（検電端子付き高圧ケーブルの端末）
１０ｃ  ケーブル
１２ｄ  検電端子
１３  ゴムカバー
【図１】
2012222966.tif 000003
【図２】
2012222966.tif 000004
【図３】
2012222966.tif 000005
【図４】
2012222966.tif 000006
【図５】
2012222966.tif 000007
【図６】
2012222966.tif 000008
【図７】
2012222966.tif 000009
【図８】
2012222966.tif 000010
【図９】
2012222966.tif 000011
【図１０】
2012222966.tif 000012